(57)【要約】【課題】製品全高が高くなることを防止しつつ具材容器の容量を増やすことができる自動製パン機を提供する。【解決手段】具材料をパン型容器１内に落下させる自動製パン機において、具材容器２０を、上蓋部３の下面とパン型容器１との間に収まるように設けると共に、オーブン室４に対して着脱される側枠２１と、この側枠２１に回動可能に軸支させ、少なくとも底壁部２２ａを設けた開閉板２２とから構成し、開閉板２２を回動方向に付勢する弾性部材２４、および開閉板２２の回動を規制するロック位置とロック解除位置との間で変位するロック部材２５を具材容器２０に取付け、ロック部材２５をロック解除位置に変位させる可動部材２７を設け、可動部材２７の駆動部２８をオーブン室４外に設置し、開閉板２２が回動すると、具材容器２０がパン型容器１の開口に対して開放され、焼成されるパンの膨張空間が形成されるようにした。【選択図】図１
2006255071.tif 000002
【特許請求の範囲】
【請求項１】
パン型容器が着脱可能に設置された器体部、およびこの器体部を開閉する上蓋部を含むオーブン室を備え、前記パン型容器の上方に位置する具材容器から具材料を前記パン型容器内に落下させる自動製パン機において、前記具材容器を、前記上蓋部の下面と前記パン型容器との間に収まるように設けると共に、前記オーブン室に対して着脱される側枠と、この側枠に回動可能に軸支させ、少なくとも底壁部を設けた開閉板とから構成し、前記開閉板を回動方向に付勢する弾性部材、および前記開閉板の回動を規制するロック位置とロック解除位置との間で変位するロック部材を前記具材容器に取付け、前記ロック部材をロック解除位置に変位させる可動部材を設け、前記可動部材の駆動部を前記オーブン室外に設置し、前記開閉板が回動すると、前記具材容器が前記パン型容器の開口に対して開放され、焼成されるパンの膨張空間が形成されることを特徴とする自動製パン機。
【請求項２】
前記具材容器を、前記パン型容器の開口に対して開放状態で、焼成されるパンを受けるように設けた請求項１に記載の自動製パン機。
【請求項３】
前記器体部を収めた外郭体と、前記器体部を外殻底部上に支持する取付け台とを備え、前記駆動部を、ソレノイドから構成し、かつ前記取付け台よりも下方の内部空間に設置した請求項１または２に記載の自動製パン機。
【請求項４】
前記具材容器のうち、前記パン型容器の開口に対して開放状態で上面視される部分に、注意表示部を設けた請求項１から３のいずれかに記載の自動製パン機。
【発明の詳細な説明】
【技術分野】
【０００１】
この発明は、自動製パン機に関する。
【背景技術】
【０００２】
この種の自動製パン機は、ユーザの操作や自動制御により混錬、発酵、ガス抜き、焼成等の製パン工程を順次実施するようになっている。通常、自動製パン機は、パン型容器が着脱可能に設置された器体部、および器体部を開閉する上蓋部を含むオーブン室と、器体部を収めた外郭体と、上蓋部に取付けた外蓋とを備えている。パン型容器内の底部には、主材料を混練するための練り羽根が設けられている。オーブン室内は、パン型容器を加熱するヒータが設けられている。
【０００３】
最近では、干しぶどうやクルミ等の具入りパンを焼くことができるように、具材料を入れるための具材容器を備えた自動製パン機が増えている。具材容器内の具材料は、ユーザのボタン操作やプログラム制御等により、主に混練課程時にパン型容器内に供給されるようになっている。
【０００４】
例えば、特許文献１に記載のものは、上蓋部と外蓋の間の内部空間に具材容器の収容部が設けられている。外蓋には、収容部を開閉する容器蓋が設けられおり、容器蓋を開いて具材料が具材容器内に収めるようになっている。上蓋部に設けられた開閉扉が開くと、具材容器は、その開放端側が下がるように回動する。この回動により、具材料は、具材容器の開放端から滑り落ち、上蓋部の開放部を通ってパン型容器内に落下する。開閉扉は、具材料投入後に閉じられ、これに伴い具材容器も収容部に格納される。
【０００５】
また、特許文献２に記載のものは、具材容器が前記上蓋部の上面開口部に反転自在に軸支されており、上蓋部と外蓋の間の内部空間で、具材容器が軸回りに反転して上下逆様になると、具材料がパン型容器内に投入されるようになっている。具材容器は、具材料投入後も反転状態を維持するようになっている。
【０００６】
上述のように特許文献１および２の自動製パン機では、具材容器を上蓋部と外蓋の間の内部空間に配置したり、具材投入時に具材容器を前記の内部空間側に反転させたりしている。これは、オーブン室内で焼成されるパンがパン型容器よりも上方に大きく膨らんだ焼き上げ状態となることを考慮し、上蓋部の下面と前記パン型容器との間に、焼成されるパンの膨張空間を確保するためである。
【０００７】
【特許文献１】特開２００４−４９１号公報
【特許文献２】特開平１１−３４６９３０号公報
【発明の開示】
【発明が解決しようとする課題】
【０００８】
しかしながら、特許文献１に記載のものは、具材容器の容量を増やそうとすると、収容部を拡大しなければならない。上蓋部と外蓋の間の内部空間に設けた収容部を拡大するには、外蓋を大型化せざるを得ず、製品全高が高くなる。また、特許文献１に記載のものは、上蓋部や外蓋に開閉扉や容器蓋を設けているため、収容部や外蓋に対する熱対策が求められ、コスト高になり易い。
【０００９】
一方、特許文献２に記載のものは、上蓋部と外蓋との間に具材容器反転用の空間を要するため、具材容器の容量を増やすと、上蓋部と外蓋との間に形成する具材容器の反転空間を広げる必要がある。結局、特許文献２に記載のものでも、具材容器の反転空間を広げるのに外蓋を大型化せざるを得ず、製品全高が高くなる。
【００１０】
そこで、この発明の課題は、製品全高が高くなることを防止しつつ具材容器の容量を増やすことができる自動製パン機を提供することにある。
【課題を解決するための手段】
【００１１】
前記の課題を解決するため、この発明は、パン型容器が着脱可能に設置された器体部、およびこの器体部を開閉する上蓋部を含むオーブン室を備え、前記パン型容器の上方に位置する具材容器から具材料を前記パン型容器内に落下させる自動製パン機において、前記具材容器を、前記上蓋部の下面と前記パン型容器との間に収まるように設けると共に、前記オーブン室に対して着脱される側枠と、この側枠に回動可能に軸支させ、少なくとも底壁部を設けた開閉板とから構成し、前記開閉板を回動方向に付勢する弾性部材、および前記開閉板の回動を規制するロック位置とロック解除位置との間で変位するロック部材を前記具材容器に取付け、前記ロック部材をロック解除位置に変位させる可動部材を設け、前記可動部材の駆動部を前記オーブン室外に設置し、前記開閉板が回動すると、前記具材容器が前記パン型容器の開口に対して開放され、焼成されるパンの膨張空間が形成されることを特徴とする。
【００１２】
この発明によれば、前記具材容器を前記上蓋部の下面と前記パン型容器との間に収まるように設けたので、前記上蓋部とこの上蓋部に取付けた外蓋との間に前記具材容器の設置空間や回動空間を設ける必要がない。このため、前記上蓋部と前記外蓋との間を狭めることにより、製品全高を同一に保ったまま前記オーブン室を嵩上げすることができる。また、前記上蓋部の下面と前記パン型容器との間には、本来、上記のようにパンの膨張空間が確保されている。すなわち、この構成によれば、前記上蓋部の下面と前記パン型容器との間に前記具材容器を収めるための空間が十分に得られる。このため、前記具材容器の容量を増やした場合でも、前記外蓋の大型化は不要であり、製品全高を高くする必要もない。
【００１３】
この発明では、前記具材容器を、前記器体部に設置されたパン型容器の上方に位置させる必要がある。しかし、前記具材容器を、前記上蓋部の下面と前記パン型容器との間に収め、前記パン型容器の上方に位置させると、前記パン型容器を前記器体部に着脱することができない。
【００１４】
そこで、この発明では、前記具材容器を、前記オーブン室に対して着脱される側枠と、この側枠に回動可能に軸支させ、少なくとも底壁部を設けた開閉板とから構成した。この構成では、前記側枠を着脱することにより、前記パン型容器を前記器体部に設置した後、そのパン型容器の上方に前記具材容器を位置させることができ、前記パン型容器を前記器体部から取出す前に、前記具材容器を前記オーブン室から取出すことができる。
【００１５】
前記具材容器を前記上蓋部の下面と前記パン型容器との間に収め、また、前記上蓋部と前記外蓋との間を狭めて前記オーブン室の嵩上げを図るには、前記具材容器から具材料を前記パン型容器内に落下させる機構を、従来のように前記上蓋部と前記外蓋との間に設けることが困難である。ここで、「落下」は、具材料が自然落下すること、および投入されることの両方を含む概念である。
【００１６】
また、前記具材容器は、一度セットされた後、製パン終了まで前記オーブン室内から取出しが不要のものでないと、わざわざ設ける意義がない。したがって、この発明では、前記オーブン室外からの操作により前記具材容器が具材料を前記パン型容器内に落下させる構成が求められる。
【００１７】
そこで、この発明では、前記開閉板を回動方向に付勢する弾性部材、および前記開閉板の回動を規制するロック位置とロック解除位置との間で変位するロック部材を前記具材容器に取付け、前記ロック部材をロック解除位置に変位させる可動部材を設け、前記可動部材の駆動部を前記オーブン室外に設置した構成を採用する。この構成では、前記オーブン室外に設置された前記駆動部を作動させると、前記可動部材により前記ロック部材がロック解除位置に変位させられ、前記開閉板が前記弾性部材の付勢力により軸回りに回動する。ここで、前記開閉板は、前記具材容器の底壁部が形成されたものであるから、その回動により、前記具材容器内の具材料は前記パン型容器内に落下ないし投入される。
【００１８】
なお、前記側枠、前記開閉板、前記弾性部材、および前記ロック部材は、焼成温度に対する耐熱性を具備した素材から構成される。
【００１９】
この発明では、焼成課程中、前記具材容器は、前記上蓋部の下面と前記パン型容器との間に収まるので、焼成されるパンの膨張空間内に位置する。このままでは、前記具材容器の底壁部等が前記パン型容器の上方を塞ぐため、焼成されるパンが膨らまない。
【００２０】
ここで、この発明では、前記具材容器を、前記オーブン室に対して着脱される側枠と、この側枠に回動可能に軸支させ、少なくとも底壁部を設けた開閉板とから構成したので、前記具材容器のうち、前記パン型容器の上方を塞ぐ部分を回動させることができる。また、前記開閉板は、前記弾性部材の付勢力により回動停止位置に維持される。
【００２１】
そこで、この発明では、前記開閉板が回動すると、前記具材容器が前記パン型容器の開口に対して開放され、焼成されるパンの膨張空間が形成される構成を採用した。この構成によれば、焼成されるパンは、前記パン型容器内を上昇し、さらに、前記具材容器の開放により形成された空間内を上昇することができる。このため、焼成されるパンが膨らむようになる。
【００２２】
しかし、焼成されるパンの種類や大きさによっては、前記具材容器と、焼成されるパンとの接触が起こり得る。この接触時、前記側枠や前記開閉板がパンに食い込むと、焼き上がったパンに割れ目が生じてしまう。
【００２３】
そこで、この発明では、前記具材容器を、前記パン型容器の開口に対して開放状態で、焼成されるパンを受けるように設けた構成を採用することが好ましい。この構成によれば、前記具材容器の角や側壁部が膨張するパンに食い込むことは防止される。
【００２４】
この発明では、前記駆動部を前記オーブン室外に設置する。しかし、前記上蓋部と前記外蓋との間を狭めるには、この間に前記駆動部を設置することは好ましくない。
【００２５】
そこで、この発明では、前記器体部を収めた外郭体と、前記器体部を外殻底部上に支持する取付け台とを備え、前記駆動部を、ソレノイドから構成し、かつ前記取付け台よりも下方の内部空間に設置した構成を採用することが好ましい。前記取付け台は、前記外殻底部との間を断熱すると共に、練り羽根を回転させる駆動モータやプーリ等の収納空間を確保するために設置される。このため、前記取付け台よりも下方には、前記器体部の下方を除いて内部空間が存在する。また、前記ソレノイドは大きな設置空間を要しない。したがって、この構成によれば、前記駆動部を前記オーブン室外に設置しても、前記外殻体の大型化を招くことはなく、ひいては製品全高も高くなることが防止される。
【００２６】
この発明では、前記具材容器は、パンの焼成中も前記オーブン室内にあるため、焼き上がり直後、高温になっている。
【００２７】
そこで、前記具材容器のうち、前記パン型容器の開口に対して開放状態で上面視される部分に、注意表示部を設けた構成を採用することが好ましい。この構成によれば、ユーザが前記上蓋部を開けた際、前記注意表示部が目に留まるので、火傷等への注意を喚起することができる。
【発明の効果】
【００２８】
上述のように、この発明の自動製パン機は、前記具材容器を、前記上蓋部の下面と前記パン型容器との間に収まるように設けると共に、前記オーブン室に対して着脱される側枠と、この側枠に回動可能に軸支させ、少なくとも底壁部を設けた開閉板とから構成し、前記開閉板を回動方向に付勢する弾性部材、および前記開閉板の回動を規制するロック位置とロック解除位置との間で変位するロック部材を前記具材容器に取付け、前記ロック部材を変位させる駆動部を前記オーブン室外に設置し、前記開閉板が回動すると、前記具材容器が前記パン型容器の開口に対して開放され、焼成されるパンの膨張空間が形成されるので、製品全高が嵩張るのを防止しつつ、具材容器の容量を増やすことができる。また、前記上蓋部に具材容器を設置するための開口がない分、耐熱対策のコストが低減される。
【発明を実施するための最良の形態】
【００２９】
以下、この発明の実施形態に係る自動製パン機を添付図面に基づいて説明する。図１は、実施形態に係る自動製パン機の縦断側面図を示す。図２は、この自動製パン機の外観を示す。図１、図２に示す自動製パン機は、パンの主材料を入れるためのパン型容器１が着脱可能に設置された器体部２、およびこの器体部２を開閉する上蓋部３を含むオーブン室４と、器体部２を収めた外郭体５とを備える。
【００３０】
パン型容器１は、上向きに開放する略矩形筒状とされており、その底部に主材料を混練するための練り羽根６が回転自在に設けられている。
【００３１】
器体部２は、上向きに開放する略矩形筒状とされており、その底部外側に取付け台７を備え、この取付け台７により外郭体５の底部上に支持されている。この状態で、器体部２と外郭体５との間に空気断熱層が形成されている。取付け台７の下方には、練り羽根６を回転させるための駆動モータ８やプーリ９等が設置されている。
【００３２】
器体部２の底部内側には、パン型容器１の設置部１０と、設置されたパン型容器１を囲むヒータ１１とが設けられている。設置部１０は、パン型容器１の底部を支持すると共に、練り羽根６の回転軸がバヨネット結合されるようになっている。ヒータ１１は、練り羽根６による混練課程、混練されたパン生地の発酵課程、ガス抜き課程を終えた後にオーブン室４内を高温にし、パン生地を焼成する。
【００３３】
器体部２を開閉する上蓋部３は、パン型容器１に臨む部分が平坦に形成されており、この平坦部分から下側に湾曲する連続面を介して外周鍔部３ａを有する。外周鍔部３ａは、器体部２の肩２ａと閉じ合うように形成されている。この上蓋部３には、その上面を覆うように外蓋１２が取付けられている。外蓋１２は、蓋ヒンジ１３を介して外郭体５の肩に取り付けられており、外郭体５の上端開放口を開閉する。上蓋部３は、外蓋１２の開閉動に伴い器体部２を開閉するようになっている。
【００３４】
外蓋１２の中央部には、上蓋部３に設けられた覗き窓３ｂが露出している。覗き窓３ｂは、パン型容器１に臨む開口部を耐熱ガラスにより塞いだ構造となっている。また、上蓋部３と外蓋１２には、排気口１４が形成されている。
【００３５】
上蓋部３の下面とパン型容器１との間には、具材料を入れるための具材容器２０が、パン型容器１の上方に位置し、かつ上蓋部３の下面とパン型容器１との間に収まるように設けられている。
【００３６】
図３は、図１の器体部２から具材容器２０を取出した状態を示している。図４（ａ）は、図１のうち、具材容器２０を抜き出して拡大図示している。図４（ｂ）は、図１において具材容器２０付近の上面視を拡大図示し、他の構成を２点鎖線で示している。
【００３７】
具材容器２０は、図３、図４（ａ）、（ｂ）に示すように、器体部２の側壁２ｂに対して着脱される側枠２１と、この側枠２１に回動可能に軸支させた開閉板２２とから構成されている。
【００３８】
側枠２１は、上面視で、パン型容器１の開口内周の長辺部１ａよりも外側に設けられた一対の軸支片２１ａ、２１ａと、パン型容器１の開口内周の短辺部１ｂよりも外側に設けられた側壁部２１ｂとを有する（図４（ｂ）参照）。
【００３９】
一対の軸支片２１ａ、２１ａのそれぞれに、短辺部１ｂに平行する軸部材２３の軸受け部２１ｃ、２１ｃが形成されている。側壁部２１ｂは、略矩形板状に形成されており、その上部両側に一対の軸支片２１ａ、２１ａの一端が連設されている（図３参照）。
【００４０】
一対の軸支片２１ａ、２１ａ、および側壁部２１ｂは、下向きに延び、外側に屈曲した脚部２１ｄを有する。各脚部２１ｄは、器体部２の側壁２ｂに設けられた差込み口２ｃに対して抜き差しされ、側枠２１を水平に保つようになっている。これにより、側枠２１は、器体部２の側壁２ｂに対して着脱可能となっている。
【００４１】
一方、開閉板２２は、矩形板状の底壁部２２ａが設けられており、底壁部２２ａの各短辺部に連なる第１側壁部２２ｂ、第２側壁部２２ｃ、および底壁部２２ａの一端側の長辺部に連なる第３側壁部２２ｄを有する（図３、図４（ｂ）参照）。
【００４２】
底壁部２２ａは、その他端側の長辺部２２ｅが開放されている。第１側壁部２２ｂ、第２側壁部２２ｃのそれぞれは、逆台形の板状に立設され、回動中心となる軸部材２３が挿通されている。第３側壁部２２ｄは、上端縁が軸部材２３に沿うように設けられており、軸部材２３に平行で他端側下がりに傾斜する平板状とされている。軸部材２３は、パン型容器１の開口長手方向において概ね中間上に配設されている。
【００４３】
一対の軸支片２１ａ、２１ａと、第１側壁部２２ｂ、第２側壁部２２ｃとの間には、開閉板２２を回動方向に付勢する弾性部材２４が取付けられている。弾性部材２４には、軸部材２３に通された金属ねじりばねが用いられているが、他の金属ばねでもよい。付勢方向は、図４（ａ）に矢示線で示す回動方向のＡ側回りとされている。
【００４４】
具材容器２０には、開閉板２２の回動を規制するロック位置とロック解除位置との間で変位するロック部材２５が取付けられている。ロック部材２５は、側枠２１の側壁部２１ｂの外側面にピン結合された揺動レバーから構成されている。
【００４５】
ロック部材２５は、レバー一端側が側壁部２１ｂよりも突出するように設けられており、ロック位置において開閉板２２の第１側壁部２２ｂの突片部２２ｆを係止する。ロック部材２５のレバー他端側と側壁部２１ｂとの間に金属ばね２６が取付けられており、ロック部材２５は金属ばね２６によりロック位置側に向けて付勢されている。
【００４６】
ロック部材２５がロック位置にある状態で、長辺部２２ｅが、側枠２１の側壁部２１ｂの下端辺に臨み、第１側壁部２２ｂ、第２側壁部２２ｃが、上面視でパン型容器１の開口内周の長辺部１ａよりも僅かに内側に位置する。この状態で、具材容器２０の具材収容空間は、側枠２１の側壁部２１ｂと、開閉板２２の底壁部２２ａ、第１側壁部２２ｂ、第２側壁部２２ｃ、第３側壁部２２ｄとから上端開放の容器状に形成されており、パン型容器１の開口長手方向において一端側に位置する。
【００４７】
ロック部材２５の規制解除は、可動部材２７により行われる。可動部材２７は、オーブン室４外に設置された駆動部２８の動作に連動してロック部材２５をロック解除位置に変位させるようになっている（図１参照）。
【００４８】
図５は、図１の可動部材２７と駆動部２８を拡大図示している。可動部材２７は、図４（ｂ）、図５に示すように、Ｌ字板状とされており、Ｌ字横辺部２７ａが器体部２の側壁２ｂの開口に挿通された状態で側壁２ｂの外側面に揺動可能にピン結合されている。
【００４９】
駆動部２８は、ソレノイドから構成されており、取付け台７よりも下方の内部空間に設置されている。駆動部２８のプランジャロッド２８ａの上端部がＬ字横辺部２７ａの外側端部に結合されている。
【００５０】
プランジャロッド２８ａが昇動すると、可動部材２７のＬ字縦辺部２７ｂが、図５において２点鎖線で示すように、ロック部材２５のレバー他端側を内側に向けて押し、金属ばね２６を圧縮させる。この状態で、ロック部材２５のレバー一端側が、図４（ｂ）において２点鎖線で示すように、外側に振れて突片部２２ｆから外れるロック解除位置に変位させられ、開閉板２２の回動規制が解除される。
【００５１】
この実施形態では、ユーザが外郭体５の正面操作部５ａ（図２参照）に設けられたボタンを押すことにより、プランジャロッド２８ａが昇動するようになっているが、タイマー制御やプログラム制御で駆動部２８を作動させてもよい。なお、プランジャロッド２８ａは、復帰スプリング２８ｂにより自動的に降下する。
【００５２】
開閉板２２は、回動規制が解除されると、図１、図４（ａ）に矢示するように、長辺部２２ｅを回動方向Ａ側回りに振り下ろす。このとき、開閉板２２は、軸部材２３がパン型容器１の開口長手方向において概ね中間上に配設され、第１側壁部２２ｂ、第２側壁部２２ｃが上面視でパン型容器１の長辺部１ａよりも僅かに内側に位置するため、パン型容器１内を通過するようになっている。そして、開閉板２２の第３側壁部２２ｄが、図１、図４（ａ）において２点鎖線で示すように、軸部材２３に対して側枠２１に設けられた上板部２１ｅに当ると、開閉板２２は、パン型容器１の開口長手方向において他端側に位置した状態で回動を停止する。この間に、具材容器２０内の具材料は、底壁部２２ａの長辺部２２ｅが開放端とされているので、パン型容器１内に落下ないし投入される。
【００５３】
開閉板２２は、弾性部材２４の付勢力により回動停止位置に維持されるので、焼成課程中、パン型容器１の開口長手方向において他端側に位置し続ける。また、開閉板２２の第３側壁部２２ｄが上蓋部３の下面近傍でパン型容器１の開口に対して水平に臨む。また、開閉板２２の回動角が第３側壁部２２ｄの傾斜により深くなるため、底壁部２２ａは、パン型容器１の開口上方で、開放端とされた長辺部２２ｅをパン型容器１の前記他端側の短辺部１ｂに向けた状態となる。さらに、第１側壁部２２ｂ、第２側壁部２２ｃは、上面視でパン型容器１の開口内周の長辺部１ａよりも僅かに内側に位置するように板状に立設されているので、開閉板２２の回動停止位置においてもパン型容器１の開口上方を塞ぐことがない。したがって、開閉板２２が回動すると、具材容器２０が、側壁部２１ｂと開閉板２２との間がパン型容器１の開口に対して大きく開放された状態となり、焼成されるパンＰの膨張空間が形成される。また、この状態で、開閉板２２の上面側は、焼成されるパンＰを受けるようになっている。
【００５４】
具材容器２０のうち、パン型容器１の開口に対して開放状態で上面視される部分、すなわち、この実施形態では、図４（ｂ）に示すように、第３側壁部２２ｄの下面部に注意表示部２９が設けられている。この注意表示部２９は、具材容器２０が高温であることに対する注意書きが表示（図示省略）される部分であり、例えば、打刻やサーモペイントなどの耐熱性を具備した表示となっている。
【００５５】
なお、この実施形態では、弾性部材２４の付勢力の設定により開閉板２２の回動停止位置を概ね設定することが可能である。しかし、具材容器２０に収容される具材料の目方重量は一定ではないから、弾性部材２４の付勢力を強めに設定せざるを得ない。このため、具材料の目方重量が軽い場合、開閉板２２が上蓋部３の下面に当る恐れがある。一方、この実施形態では、開閉板２２の回動を停止させる上板部２１ｅを側枠２１に設けたので、弾性部材２４の付勢力を強めに設定しても上蓋部３の下面が傷つく恐れがなくなり、これに伴い具材容器２０の大容量化が容易となる。
【００５６】
また、具材容器は、他の構造のものでもよい。例えば、具材容器の側周部を側枠から構成し、開閉板には底壁部のみを設けてもよい。この場合、開閉板の回動軸は、側枠の一辺部に沿わせて設けることができる。また、具材容器の底壁部は、複数の開閉板から構成してもよい。また、具材容器の底壁部全域を開閉板に設ける必要はなく、パン型容器の開口上方に位置する部分を開閉板に設ければ十分である。
【図面の簡単な説明】
【００５７】
【図１】実施形態に係る自動製パン機の縦断側面図
【図２】同上の外観を示す全体斜視図
【図３】同上の具材容器を器体部から取出した状態の全体斜視図
【図４】（ａ）は同上の開閉板の回動が規制された状態を実線で示し、開閉板が回動停止位置にある状態を２点鎖線で示す具材容器の拡大縦断側面図、（ｂ）は同上の具材容器を器体部に取付けた状態を実線で示し、開閉板が上板部に当った状態の上面視を２点鎖線で示す拡大上面図
【図５】同上のロック部材と駆動部材の部分拡大縦断側面図
【符号の説明】
【００５８】
１  パン型容器
１ａ  長辺部
１ｂ  短辺部
２  器体部
２ａ  肩
２ｂ  側壁
２ｃ  差込み口
３  上蓋部
３ａ  外周鍔部
３ｂ  覗き窓
４  オーブン室
５  外郭体
５ａ  正面操作部
６  練り羽根
７  取付け台
８  駆動モータ
９  プーリ
１０  設置部
１１  ヒータ
１２  外蓋
１３  蓋ヒンジ
１４  排気口
２０  具材容器
２１  側枠
２１ａ  軸支片
２１ｂ  側壁部
２１ｃ  軸受け部
２１ｄ  脚部
２１ｅ  上板部
２２  開閉板
２２ａ  底壁部
２２ｂ  第１側壁部
２２ｃ  第２側壁部
２２ｄ  第３側壁部
２２ｅ  長辺部
２２ｆ  突片部
２３  軸部材
２４  弾性部材
２５  ロック部材
２６  金属ばね
２７  可動部材
２７ａ  Ｌ字横辺部
２７ｂ  Ｌ字縦辺部
２８  駆動部
２８ａ  プランジャロッド
２８ｂ  復帰スプリング
２９  注意表示部
【図１】
2006255071.tif 000003
【図２】
2006255071.tif 000004
【図３】
2006255071.tif 000005
【図４】
2006255071.tif 000006
【図５】
2006255071.tif 000007